【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
キャップ天面壁から外方に突出する変形可能な突出部を有する突出部付きキャップの検査方法であって、圧力センサを備えたダミー容器の開口部に突出部付きキャップを装着して、前記ダミー容器内の内圧を減圧する減圧工程、該減圧工程に続き前記ダミー容器内を加圧する加圧工程を有し、前記減圧工程で前記突出部付きキャップの突出部がフリップダウンする時、前記加圧工程で前記突出部がフリップアップする時の音を検知し、該音の検知によりタイミング信号を発生させてその瞬間のダミー容器内の内圧を前記圧力センサから読み出してフリップダウン値及びフリップアップ値として表示することを特徴とする突出部付きキャップの検査方法。
【請求項２】
前記減圧工程では、真空ポンプにより発生した真空の前記ダミー容器内への連通をオン−オフ制御弁でオン−オフ制御し、且つ流量調整弁で流量を調節することにより所定減圧速度で減圧を行ない、前記加圧工程では大気の前記ダミー容器への連通をオン−オフ制御弁でオン−オフ制御し、且つ流量調整弁で流量を調節することにより所定加圧速度で加圧を行なうことを特徴とする請求項１に記載の突出部付きキャップの検査方法。
【請求項３】
前記減圧工程は、減圧開始時から所定内圧まで減圧速度を速くして急速減圧する急速減圧工程と該急速減圧工程よりも緩やかな所定の減圧速度で所定内圧まで減圧する計測時減圧工程からなり、前記加圧工程は、所定の加圧速度で所定内圧まで加圧する計測時加圧工程と該計測時加圧工程よりも急速な加圧速度で大気圧まで急速加圧する急速加圧工程からなり、前記計測時減圧工程におけるダミー容器内圧の減圧速度を計算してフリップダウン速度として、且つ前記計測時加圧工程におけるダミー容器内圧の加圧速度を計算してフリップアップ速度としてそれぞれ表示することを特徴とする請求項１又は２に記載の突出部付きキャップの検査方法。
【請求項４】
突出部付きキャップ装着部と圧力センサを有し且つ真空源に連接されたダミー容器、該ダミー容器の上方に設置して突出部付きキャップの突出部がフリップダウン及びフリップアップ時に発する音を検知して電気信号に変換する音検知手段、前記ダミー容器内の内圧を調節制御する内圧調節手段、及び該内圧調節手段を制御し且つ前記音検知手段と前記圧力センサからの入力に基づきフリップダウン値及びフリップアップ値を表示する演算制御・表示装置からなることを特徴とする突出部付きキャップの検査装置。
【請求項５】
前記ダミー容器は、圧力センサを有し且つ真空源に連接された容器本体部と、該容器本体部に軸封可能に連接する連接部と突出部付きキャップの種類に対応した突出部付きキャップのキャップ装着部を有するヘッド部の組み合わせからなり、該ヘッド部は前記容器本体部に交換可能に装着できるようになっている請求項４に記載の突出部付きキャップの検査装置。
【請求項６】
前記内圧調節手段は、真空ポンプと、該真空ポンプと前記ダミー容器の間に配管された真空配管路とからなり、該真空配管路が急速減圧管路、計測時減圧管路、計測時加圧管路、急速加圧管路の４系統に分岐され、前記急速減圧管路、計測時減圧管路及び計測時加圧管路にはそれぞれオン−オフ開閉弁と流量制御弁が設けられ、前記急速加圧管路にはオン−オフ開閉弁が設けられ、且つ前記計測時加圧管路と前記急速加圧管路の一端は大気に連通していることを特徴とする請求項４又は５に記載の突出部付きキャップの検査装置。
【手続補正２】
【補正対象書類名】明細書
【補正対象項目名】０００５
【補正方法】変更
【補正の内容】
【０００５】
請求項２に記載の発明は、請求項１に記載の突出部付きキャップの検査方法において、前記減圧工程では、真空ポンプにより発生した真空の前記ダミー容器内への連通をオン−オフ制御弁でオン−オフ制御し、且つ流量調整弁で流量を調節することにより所定減圧速度で減圧を行ない、前記加圧工程では大気の前記ダミー容器への連通をオン−オフ制御弁でオン−オフ制御し、且つ流量調整弁で流量を調節することにより所定加圧速度で加圧を行なうことを特徴とするものである。請求項３の発明は、請求項１又は２に記載の突出部付きキャップの検査方法において、前記減圧工程が、減圧開始時から所定内圧まで減圧速度を速くして急速減圧する急速減圧工程と該急速減圧工程よりも緩やかな所定の減圧速度で所定内圧まで減圧する計測時減圧工程からなり、前記加圧工程は、所定の加圧速度で所定内圧まで加圧する計測時加圧工程と該計測時加圧工程よりも急速な加圧速度で大気圧まで急速加圧する急速加圧工程からなり、前記計測時減圧工程におけるダミー容器内圧の減圧速度を計算してフリップダウン速度として、且つ前記計測時加圧工程におけるダミー容器内圧の加圧速度を計算してフリップアップ速度としてそれぞれ表示することを特徴とするものである。
【手続補正３】
【補正対象書類名】明細書
【補正対象項目名】０００７
【補正方法】変更
【補正の内容】
【０００７】
そして、請求項５に記載の発明は、請求項４に記載の突出部付きキャップの検査装置において、前記ダミー容器は、圧力センサを有し且つ真空源に連接された容器本体部と、該容器本体部に軸封可能に連接する連接部と突出部付きキャップの種類に対応した突出部付きキャップ装着部を有するヘッド部の組み合わせからなり、該ヘッド部は前記容器本体部に交換可能に装着できるようになっていることを特徴とするものである。また、請求項６に記載の発明は、請求項４又は５に記載の突出部付きキャップの検査装置において、前記内圧調節手段が、真空ポンプと、該真空ポンプと前記ダミー容器の間に配管された真空配管路とからなり、該真空配管路が急速減圧管路、計測時減圧管路、計測時加圧管路、急速加圧管路の４系統に分岐され、前記急速減圧管路、計測時減圧管路及び計測時加圧管路にはそれぞれオン−オフ開閉弁と流量制御弁が設けられ、前記急速加圧管路にはオン−オフ開閉弁が設けられ、且つ前記計測時加圧管路と前記急速加圧管路の一端は大気に連通していることを特徴とするものである。なお、この発明の突出部付きキャップの検査装置において、前記演算制御・表示装置は、前記圧力センサからの出力を電気信号に変換する空電変換器、中央演算処理装置及び表示器からなり、前記中央演算処理装置は予め設定されたプログラムに基づき前記内圧調節手段に制御信号を発すると共に、前記空電変換器と前記音検出手段からの信号に基づき前記表示器に表示情報を発するようにすることもできるし、かつ前記表示器は、ダミー容器内の圧力、フリップダウン時及びフリップアップ時のダミー容器内の圧力であるフリップダウン値及びフリップアップ値を表示する構成を採用することもできる。
【手続補正４】
【補正対象書類名】明細書
【補正対象項目名】０００８
【補正方法】変更
【補正の内容】
【０００８】
請求項１及び請求項４の発明によれば、ＦＤ、ＦＵ時に発生する音を自動的に検出して、それを圧力計の数値データを読み取るタイミング信号としているので、高精度でＦＤ、ＦＵ値を測定することができ、従来の測定者の目視で確認していたものと比べて測定者の人為的要素がなく精密な検査ができる。
請求項２及び請求項５の発明によれば、上記効果に加え、ダミー容器内の圧力調整は、真空ポンプより発生した真空、及び大気のダミー容器内への連通をオン−オフ制御弁と流量調節弁の組み合わせで行っているので、流量調節弁をキャップの種類等に応じて予め設定しておけばオン−オフ制御のみの簡単な制御で、確実に真空度を調節できる。
請求項３の発明によれば、予め設定されたプログラムに基づき自動的に、減圧開始時は減圧速度を速くして真空状態が確保でき、測定時には適切な速度で行うことができて測定精度を上げることができる。また、ＦＵ値測定後は急速加圧（大気吸気）するので、計測時間を短縮することができる。且つダミー容器内の圧力変化は自動的に表示器に表示されるので、計測時の圧力変化を常に確認できる。
さらに、計測時のフリップダウン速度及びフリップアップ速度を計測して表示するので、常に同じ条件ＦＤ、ＦＵ値を計測することができ、計測条件が安定し、精度を向上させることができる。
また、請求項５の発明によれば、計測する突出部付きキャップの種類に応じて複数種のヘッド部のみ用意しておけば、ヘッド部のみを取替えるだけで１台の検査装置で複数種の突出部付きキャップの検査に対応することができる。